(57)【要約】【課題】遊技機の各台計数機における受皿ユニットのロック解除操作を通電状態であるか否かにかかわらず容易に行う。【解決手段】外部から操作可能な位置に配置された鍵穴部に鍵を挿入することにより手動にてロック解除動作を行うための手動ロック解除部（係止部材４６）と、所定の動作指示に応じて電動によりロック解除動作を行う電動ロック解除部（ソレノイド５１、規制部材５２、バネ５６）とを設ける。【選択図】図８
2014147513.tif 000002
【特許請求の範囲】
【請求項１】
遊技機から排出される遊技媒体を受け止める受皿ユニットと、上記受皿ユニットから供給される遊技媒体の数を計数する計数機とを備え、上記受皿ユニットが上記計数機に対して着脱可能に連結される各台計数機であって、
上記受皿ユニットと上記計数機との連結を解除不可能な状態するロック動作と、上記受皿ユニットと上記計数機との連結を解除可能な状態にするロック解除動作とを行うロック機構を備え、
上記ロック機構は、
外部から操作可能な位置に配置された鍵穴部に鍵を挿入することにより手動にて上記ロック解除動作を行うための手動ロック解除部と、
所定の動作指示に応じて電動により上記ロック解除動作を行う電動ロック解除部とを備えていることを特徴とする各台計数機。
【請求項２】
上記電動ロック解除部は、第１規制位置と第１規制解除位置とに移動可能に備えられた規制部材と、電力により駆動されて上記規制部材を上記第１規制位置から上記第１規制解除位置に移動させる電動駆動部とを備え、
上記手動ロック解除部は、上記鍵穴部に挿入した上記鍵を回転させることにより第２規制位置と第２規制解除位置とに移動可能に備えられた手動駆動部材を備え、
上記ロック動作は、上記規制部材を上記第１規制位置に配置し、かつ上記手動駆動部材を上記第２規制位置に配置することにより、上記規制部材によって上記手動駆動部材の移動を規制することで上記受皿ユニットと上記計数機との連結を解除不可能な状態にする動作であり、
上記ロック解除動作は、上記規制部材を上記第１規制解除位置に移動させる動作、および上記手動駆動部材を上記第２規制解除位置に移動させる動作のうちの少なくとも一方により、上記規制部材による上記手動駆動部材の移動の規制を解除する動作であることを特徴とする請求項１に記載の各台計数機。
【請求項３】
上記規制部材を上記第１規制解除位置から上記第１規制位置へ向かう方向に付勢する付勢部材を備え、
上記電動駆動部による駆動力が上記規制部材に作用していない場合に上記規制部材が上記付勢部材の付勢力によって上記第１規制位置に保持されることを特徴とする請求項２に記載の各台計数機。
【請求項４】
上記受皿ユニットは、当該受皿ユニットを上記計数機に対して所定方向に沿って接近させることにより上記計数機に設けられた被係合部に係合する係合部を備え、
上記規制部材は、上記第１規制解除位置から上記第１規制位置に向かう方向の端部における上記所定方向の反対方向側の面に、上記第１規制解除位置から上記第１規制位置に向かうにつれて上記所定方向側に傾斜した傾斜部を備え、
上記手動駆動部材が上記第２規制位置に配置されている状態の上記受皿ユニットを上記第１規制位置に配置されている状態の上記規制部材の上方から上記計数機に接近させたときに、上記手動駆動部材が上記規制部材の上記傾斜部に当接することによって上記規制部材が上記付勢部材の付勢力に反して上記第１規制解除位置側に押され、上記手動駆動部材が上記規制部材よりも下側の位置に達して上記手動駆動部材と上記傾斜部との当接が解除されたときに、上記規制部材が上記付勢部材の付勢力によって上記第１規制位置に戻されることを特徴とする請求項３に記載の各台計数機。
【請求項５】
上記手動駆動部材が上記規制部材によって当該手動駆動部材の移動を規制するための所定位置に配置されたことを検知する検知部と、
上記規制部材が上記第１規制解除位置に配置されている状態で上記検知部によって上記手動駆動部材が上記所定位置に配置されたことが検知されたときに、上記電動駆動部の動作を制御して上記規制部材を上記第１規制解除位置から上記第１規制位置に移動させる制御部とを備えていることを特徴とする請求項２から４のいずれか１項に記載の各台計数機。
【発明の詳細な説明】
【技術分野】
【０００１】
本発明は、遊技機の各台計数機に関するものである。
【背景技術】
【０００２】
従来、パチンコ機などの遊技機において顧客が獲得した遊技媒体を計数する方法としては、遊技媒体を貯留した貯留箱を遊技店の従業員等が遊技場に設置されている計数機まで運搬して計数する方法が一般的であった。
【０００３】
これに対して、近年では、遊技機毎に計数機（各台計数機）を配置し、遊技機から排出される遊技媒体を各台計数機により直接計数する方法も用いられている。
【０００４】
各台計数機は、一般に、遊技機の下皿に設けられた排出口から排出される遊技媒体を受け止める受皿ユニットと、受皿ユニットから供給される遊技媒体を計数する計数機とを備えている。
【０００５】
なお、遊技場では、一般に、水平方向に並べて配置された遊技機同士の間に遊技媒体の貸出処理等を行うための台間機が配置されており、各台計数機に備えられる計数機は台間機の下部に備えられている。また、計数機によって計数された遊技媒体は、台間機の内部を通って各遊技機への遊技媒体の供給等を行うための遊技島へと送られる。
【０００６】
また、各台計数機による遊技媒体の計数結果は電子情報として管理され、顧客の指示に応じて再び遊技媒体として発給されたり、記録媒体に記録されて景品交換に用いられたりする。
【０００７】
ところで、各台計数機は受皿ユニットを計数機に対して着脱可能に連結する連結機構を備えており、例えば遊技機の入れ替え作業や台間機のメンテナンス等を行う際に受皿ユニットを計数機から分離できるようになっている。また、上記の連結機構は、遊技店の従業員等の操作権限を有する者のみが受皿ユニットを計数機から分離する操作を行えるようにするためのロック機構を備えている。
【０００８】
例えば、特許文献１には、鍵を用いて手動操作することにより受皿ユニットと計数機とのロック／ロック解除を行う方式（錠前方式）のロック機構が開示されている。
【０００９】
また、特許文献２には、リモコン操作等によってソレノイドを動作させることで受皿ユニットと計数機とのロック／ロック解除を行う方式（電磁ロック方式）のロック機構が開示されている。
【００１０】
また、特許文献２では、上記の電磁ロック方式によるロック解除に加えて、計数機の上面に設けられたロック解除レバーを手動操作することでロック解除を行う方式（レバー解除方式）も利用可能にした構成が開示されている。なお、上記のロック解除レバーは、計数機の上方に配置された台間機の上部ユニットを取り外さないと操作できない位置に配置されており、上部ユニットを取り外すためには、遊技機の扉を開いて上部ユニットの背面に備えられた解除操作部を遊技島内側から操作して上部ユニットの施錠を解除する必要があるようになっている。
【先行技術文献】
【特許文献】
【００１１】
【特許文献１】特開２０１１−０５０４８５号公報（２０１１年３月１７日公開）
【特許文献２】特開２０１１−１３９８３５号公報（２０１１年７月２１日公開）
【発明の概要】
【発明が解決しようとする課題】
【００１２】
しかしながら、上記の錠前方式では、遊技機毎に１台ずつキーを用いてロック解除操作を行う必要があるので、作業時間と手間がかかるという問題がある。
【００１３】
また、上記の電磁ロック方式では、作業者はリモコン等を操作するだけでロック解除を行えるので、錠前方式に比べて作業時間と手間を軽減できるものの、台間機への電力供給が遮断されている場合にロック機構を解除できなくなるという問題がある。
【００１４】
また、上記のレバー解除方式では、ロック解除レバーを操作するためには、遊技機の扉を開く作業および上部ユニットの取り外し作業を行う必要があるので、作業時間と手間が非常にかかるという問題がある。また、台間機の内部にロック解除レバーを設けることにより、台間機内のスペースの利用効率が低下するという問題もある。
【００１５】
本発明は、上記の問題点に鑑みてなされたものであり、その目的は、遊技機の各台計数機における受皿ユニットのロック解除操作を通電状態であるか否かにかかわらず容易に行うことのできる各台計数機を提供することにある。
【課題を解決するための手段】
【００１６】
本発明の一態様にかかる各台計数機は、遊技機から排出される遊技媒体を受け止める受皿ユニットと、上記受皿ユニットから供給される遊技媒体の数を計数する計数機とを備え、上記受皿ユニットが上記計数機に対して着脱可能に連結される各台計数機であって、上記受皿ユニットと上記計数機との連結を解除不可能な状態するロック動作と、上記受皿ユニットと上記計数機との連結を解除可能な状態にするロック解除動作とを行うロック機構を備え、上記ロック機構は、外部から操作可能な位置に露出した鍵穴部に鍵を挿入することにより手動にて上記ロック解除動作を行うための手動ロック解除部と、所定の動作指示に応じて電動により上記ロック解除動作を行う電動ロック解除部とを備えていることを特徴としている。
【００１７】
上記の構成によれば、所定の動作指示に応じて電動によりロック解除動作を行う電動ロック解除部を備えているので、電動ロック解除部への通電で確保されている場合には上記の所定の動作指示を行うだけで受皿ユニットのロック解除を容易に行うことができる。また、外部から操作可能な位置に露出した鍵穴部に鍵を挿入することにより手動にてロック解除動作を行うための手動ロック解除部を備えているので、電動ロック解除部への通電が遮断されている場合であっても、従来のレバー解除方式のように遊技機の取り外し作業や台間機の一部の取り外し作業などを行う必要がなく、受皿ユニットのロック解除を容易に行うことができる。
【００１８】
また、上記電動ロック解除部は、第１規制位置と第１規制解除位置とに移動可能に備えられた規制部材と、電力により駆動されて上記規制部材を上記第１規制位置から上記第１規制解除位置に移動させる電動駆動部とを備え、上記手動ロック解除部は、上記鍵穴部に挿入した上記鍵を回転させることにより第２規制位置と第２規制解除位置とに移動可能に備えられた手動駆動部材を備え、上記ロック動作は、上記規制部材を上記第１規制位置に配置し、かつ上記手動駆動部材を上記第２規制位置に配置することにより、上記規制部材によって上記手動駆動部材の移動を規制することで上記受皿ユニットと上記計数機との連結を解除不可能な状態にする動作であり、上記ロック解除動作は、上記規制部材を上記第１規制解除位置に移動させる動作、および上記手動駆動部材を上記第２規制解除位置に移動させる動作のうちの少なくとも一方により、上記規制部材による上記手動駆動部材の移動の規制を解除する動作である構成としてもよい。
【００１９】
上記の構成によれば、上記規制部材を上記第１規制解除位置に移動させる動作、および上記手動駆動部材を上記第２規制解除位置に移動させる動作のうちの少なくとも一方の動作を行うことにより、ロック解除を行うことができる。したがって、通電状態であるか否かにかかわらず受皿ユニットのロック解除を容易に行うことができる。
【００２０】
また、上記規制部材を上記第１規制解除位置から上記第１規制位置へ向かう方向に付勢する付勢部材を備え、上記電動駆動部による駆動力が上記規制部材に作用していない場合に上記規制部材が上記付勢部材の付勢力によって上記第１規制位置に保持される構成としてもよい。
【００２１】
上記の構成によれば、電動駆動部への通電が遮断された場合には規制部材が第１規制位置に付勢されて保持されるので、通電が遮断されることによって意に反してロックが解除されることを防止できる。また、通電が遮断された場合であっても、必要に応じて手動駆動部材を手動により操作することでロック解除を容易に行うことができる。
【００２２】
また、上記受皿ユニットは、当該受皿ユニットを上記計数機に対して所定方向に沿って接近させることにより上記計数機に設けられた被係合部に係合する係合部を備え、上記規制部材は、上記第１規制解除位置から上記第１規制位置に向かう方向の端部における上記所定方向の反対方向側の面に、上記第１規制解除位置から上記第１規制位置に向かうにつれて上記所定方向側に傾斜した傾斜部を備え、上記手動駆動部材が上記第２規制位置に配置されている状態の上記受皿ユニットを上記第１規制位置に配置されている状態の上記規制部材の上方から上記計数機に接近させたときに、上記手動駆動部材が上記規制部材の上記傾斜部に当接することによって上記規制部材が上記付勢部材の付勢力に反して上記第１規制解除位置側に押され、上記手動駆動部材が上記規制部材よりも下側の位置に達して上記手動駆動部材と上記傾斜部との当接が解除されたときに、上記規制部材が上記付勢部材の付勢力によって上記第１規制位置に戻される構成としてもよい。
【００２３】
上記の構成によれば、受皿ユニットを計数機に連結するための操作を、手動駆動部材が第２規制位置に配置され、かつ規制部材が第１規制位置に配置されている状態であっても実行することができる。したがって、例えば、電動駆動部によって規制部材を第１規制解除位置に移動させることでロック解除を行って受皿ユニットを取り外した後、受皿ユニットを再連結する前に電動駆動部への通電が遮断されることによって規制部材が第１規制位置に移動した場合であっても、手動駆動部材を第２規制位置から第２規制解除位置へ移動させる手動操作、あるいは規制部材を第１規制解除位置へ移動させる電動操作を行うことなく、手動駆動部材を第２規制位置に配置したままで受皿ユニットを計数機に連結することができる。これにより、受皿ユニットの連結をより容易に行うことができる。また、規制部材が第１規制位置に配置され、手動駆動部材が第２規制位置に配置された状態で受皿ユニットを計数機に連結する処理を行った場合であっても、手動駆動部材と規制部材とが干渉してこれら両部材が破損してしまうことを防止できる。
【００２４】
また、上記手動駆動部材が上記規制部材によって当該手動駆動部材の移動を規制するための所定位置に配置されたことを検知する検知部と、上記規制部材が上記第１規制解除位置に配置されている状態で上記検知部によって上記手動駆動部材が上記所定位置に配置されたことが検知されたときに、上記電動駆動部の動作を制御して上記規制部材を上記第１規制解除位置から上記第１規制位置に移動させる制御部とを備えている構成としてもよい。
【００２５】
上記の構成によれば、手動駆動部材を第２規制位置に配置するだけで規制部材を自動的に第１規制位置に移動させてロック動作を完了させることができるので、ロック動作をより容易に行うことができる。
【発明の効果】
【００２６】
以上のように、本発明の一態様にかかる各台計数機によれば、遊技機の各台計数機における受皿ユニットのロック解除操作を通電状態にかかわらず容易に行うことができる。
【図面の簡単な説明】
【００２７】
【図１】本発明の一実施形態にかかる遊技機ユニットの概略構成を示す説明図である。
【図２】図１の遊技機ユニットに備えられる台間機の概略構成を示す説明図である。
【図３】図１の遊技機ユニットに備えられる台間機の制御部の構成を示す説明図である。
【図４】図１の遊技機ユニットに備えられる受皿ユニットにおける計数機との接続部の構成を示す説明図である。
【図５】図１の遊技機ユニットに備えられる計数機における受皿ユニットとの接続部の構成を示す説明図である。
【図６】図１の遊技機ユニットに備えられる計数機における受皿ユニットとの接続部の構成を示す説明図である。
【図７】図１の遊技機ユニットに備えられる計数機における受皿ユニットとの接続部の構成を示す説明図である。
【図８】図１の遊技機ユニットに備えられる計数機における受皿ユニットとの接続部の構成を示す説明図である。
【図９】図１の遊技機ユニットに備えられる計数機における受皿ユニットとの接続部の構成を示す説明図である。
【発明を実施するための形態】
【００２８】
本発明の一実施形態について説明する。
【００２９】
（１−１．遊技機ユニット１０の全体構成）
図１は、本実施形態にかかる遊技機ユニット１０の概略構成を示す説明図である。この図に示すように、遊技機ユニット１０は、遊技機２０、台間機３０、および各台計数機４０を備えている。
【００３０】
遊技機２０は、遊技領域２１、ハンドル２２、上皿２３、下皿２４などを備えている。遊技領域２１は、ハンドル２２によって打ち出された遊技媒体（遊技球）が移動する領域である。ハンドル２２は、遊技媒体の発射操作を行うための装置であり、利用者がハンドル２２を捻った状態で保持すると、遊技媒体が連続発射されて遊技領域２１に打ち出される。上皿２３には、遊技によって獲得した遊技媒体が貯留され、下皿２４には上皿２３から溢れた遊技媒体が貯留される。また、下皿２４には遊技媒体を排出する排出口と排出口の開閉を行う排出シャッターとが設けられており（いずれも図示せず）、ユーザが排出シャッターを開く操作を行うことにより、下皿２４に貯留された遊技媒体が下皿２４から当該下皿２４の下方に排出される。
【００３１】
図２は台間機３０の外観構成を示す説明図であり、図３は台間機３０の機能構成を説明するための説明図である。
【００３２】
図２に示すように、台間機３０は、貸出処理ユニット３１と計数機４４とを備えている。
【００３３】
貸出処理ユニット３１の前面には、ユーザが遊技媒体を遊技店から借りるための料金を投入する紙幣投入部３２、ユーザの保有している遊技媒体数に関する情報等を記録したメモリカード等の記録媒体を挿入するための記録媒体挿入部３３、残高情報やユーザが保有している遊技媒体数などの情報を表示したり、ユーザからの指示入力（例えば遊技媒体の貸し出し要求など）を受け付けたりするためのタッチパネル３４、およびリモコン３６から送信される赤外線信号を受光するためのリモコン受光部３５などが備えられている。
【００３４】
なお、上記のリモコン３６は、遊技店の従業員等によって操作されるものであり、例えば、後述する受皿ユニット４３と計数機４４とのロックを解除するための命令を送信したりするためのものである。本実施形態では、リモコン３６には一斉解除ボタン３７と個別解除ボタン３８とが備えられており、一斉解除ボタン３７を操作すると予め関連付けられた複数台の遊技機（例えば同一の遊技島に属する各遊技機）における受皿ユニット４３と計数機４４とのロックが一斉に解除され、個別解除ボタン３８を操作するとリモコン３６からの信号を受信した台間機３０に対応する受皿ユニット４３と計数機４４とのロックが遊技機毎に個別に解除されるようになっている。
【００３５】
また、台間機３０の内部には、図３に示すように、タッチパネル３４を介して入力されるユーザからの指示や、リモコン受光部３５を介して入力される遊技店の従業員等からの指示等に応じて台間機３０の各部の動作を制御するための制御部７０、制御部７０によって利用される各種データを記憶する記憶部８０、および制御部７０の指示に応じて遊技媒体の貸出処理（上皿２３への遊技媒体の供給）を行う貸出処理部３９が備えられている。
【００３６】
各台計数機４０は、図１に示したように、受皿４１と遊技媒体通路４２とからなる受皿ユニット４３と、計数機４４とを備えている。
【００３７】
受皿４１は、遊技機２０の下皿２４から排出される遊技媒体を受け止める。遊技媒体通路４２は、遊技機２０から受皿４１に排出された遊技媒体を計数機４４に供給するための通路である。なお、受皿４１の一部には、当該受皿４１の設置高さを調整するための調整ネジ４９が備えられており、遊技店の従業員等がこの調整ネジ４９を操作することにより、受皿４１に排出された遊技媒体が遊技媒体通路４２を介して計数機４４へと自重によって自動的に移動するように受皿４１の設置高さが調整される。
【００３８】
計数機４４は、遊技機２０から受皿４１および遊技媒体通路４２を介して供給された遊技媒体の数を計数する計数センサ７７（後述する図３参照）を備えている。計数機４４（計数センサ７７）による遊技媒体の計数結果は制御部７０へと伝達されて電子情報として管理され、ユーザの指示に応じて再び遊技媒体として上皿２３に発給されたり、記録媒体に記録されて景品交換に用いられたりする。また、計数機４４による計数が行われた後の遊技媒体は、計数機４４を通過して遊技機２０の背面側の遊技島内へと送られる。なお、計数センサ７７の構成は特に限定されるものではなく、従来から公知の各種センサを用いることができる。
【００３９】
また、受皿ユニット４３（遊技媒体通路４２）は計数機４４に対して着脱可能に連結されるようになっており、連結中はこれら両部材に備えられたロック機構により所定のロック解除動作を行わなければ連結を解除できないようにロックされている。ロック機構およびロック解除動作の詳細については後述する。
【００４０】
制御部７０は、台間機３０および各台計数機４０の各部の動作を制御する制御装置（制御手段）であり、図３に示すように、タッチパネル制御部７１、残高管理部７２、遊技媒体数管理部７３、記録媒体管理部７４、貸出制御部７５、および受皿ロック制御部７６を備えている。また、記憶部８０は、残高情報記憶部８１および保有媒体数記憶部８２を備えている。なお、制御部７０は、例えば、ＣＰＵ（Central Processing Unit）等からなり、タッチパネル３４を介して入力される情報、リモコン受光部３５を介して受信する情報、各種センサの検知結果、台間機３０に挿入された記録媒体あるいは記憶部８０から読み出した情報、ＲＯＭ等の記憶手段（図示せず）に格納されたプログラムや各種データなどに基づいて台間機３０および各台計数機４０の各部の動作を制御する。
【００４１】
タッチパネル制御部７１は、タッチパネル３４の動作を制御し、ユーザに提示する各種情報を表示させる処理、およびユーザからタッチパネル３４を介して入力される指示入力を受け付ける処理を行う。
【００４２】
残高管理部７２は、紙幣投入部３２を介して投入された金額および／または記録媒体挿入部３３に挿入された記録媒体に記録されている残高情報と、実行した遊技媒体の貸出処理の料金とに基づいて残高を算出し、残高情報記憶部８１に記憶させる。また、残高管理部７２によって算出された残高はタッチパネル制御部７１によってタッチパネル３４に表示される。
【００４３】
遊技媒体数管理部７３は、計数機４４によって計数された遊技媒体数および／または記録媒体挿入部３３に挿入された記録媒体に記録されている遊技媒体数に基づいてユーザの保有している遊技媒体数を算出し、保有媒体数記憶部８２に記憶させる。また、遊技媒体数管理部７３によって算出された遊技媒体数はタッチパネル制御部７１によってタッチパネル３４に表示される。
【００４４】
記録媒体管理部７４は、記録媒体挿入部３３に挿入された記録媒体への各種情報（例えば、残高の情報、保有している遊技媒体数の情報、ユーザ認証情報など）の書き込みおよび上記記録媒体からの各種情報の読み出しを制御する。
【００４５】
貸出制御部７５は、タッチパネル３４に対するユーザからの指示入力と、残高情報および／またはユーザの保有している遊技媒体数の情報とに基づいて遊技媒体の貸し出しの可否を判断し、貸し出し可能と判断した場合に貸出処理部３９を制御して遊技媒体の貸し出し（上皿２３または受皿ユニット４３への遊技媒体の供給）を行わせる。貸し出された遊技媒体数に関する情報は残高管理部７２および／または遊技媒体数管理部７３に伝達され、残高情報および／またはユーザの保有している遊技媒体数の情報の更新処理が行われる。
【００４６】
受皿ロック制御部７６は、リモコン受光部３５を介して入力されるロック解除指示や受皿ユニット検知センサ（検知部）６１の検知結果などに基づいて各台計数機４０に備えられる計数機４４と受皿ユニット４３とのロック機構の動作を制御する。計数機４４と受皿ユニット４３とのロック機構の詳細、およびロック機構の制御方法については後述する。
【００４７】
（１−２．受皿ユニット４３と計数機４４とのロック機構の構成）
図４は、受皿ユニット４３における計数機４４とのロック機構の構成を示す説明図である。この図に示すように、受皿ユニット４３における計数機４４との対向部には、シリンダー錠４５、係止部材（手動駆動部材）４６、および係合部材（係合部）４７が設けられている。
【００４８】
シリンダー錠４５は、当該シリンダー錠４５の鍵穴部４５ａ（遊技機２０の扉を開いたり遊技機２０あるいは台間機３０を取り外したりしなくても外部から操作可能な位置に配置された鍵穴部４５ａ）に当該シリンダー錠４５に対応する鍵を差し込むことにより手動にて回転可能であり、シリンダー錠４５を回転させると係止部材４６もそれに応じて回転する。これにより、係止部材４６は、図３の（ａ）に示すように受皿ユニット４３から計数機４４側に突出する位置（第２規制位置）と、図３の（ｂ）に示すように遊技媒体通路４２側（受皿ユニット４３における計数機４４との対向面よりも計数機４４から遠い側の位置）へ収容された位置（第２規制解除位置）とに移動可能になっている。
【００４９】
係合部材４７は、板面が鉛直方向に平行、かつ受皿ユニット４３と計数機４４との対向方向に平行になるように配置された、受皿ユニット４３から計数機４４側に突出する板状部材であり、係合部材４７の下部には上方に向けて所定の幅で切り欠かれた切欠部４８が設けられている。なお、切欠部４８における上記幅は、計数機４４に備えられる係合バー５７（後述する図５参照）の径に応じた幅になっている。
【００５０】
図５および図６は、計数機４４における受皿ユニット４３とのロック機構の構成を示す説明図であり、図５は計数機４４に備えられる規制部材５２を受皿ユニット４３のロックを行うための位置（第１規制位置）に配置したときの状態、図６は後述する規制部材５２を受皿ユニット４３のロックが解除される位置（第１規制解除位置）に配置したときの状態を示している。なお、図５の（ａ）および図６の（ａ）は計数機４４の斜視図であり、図５の（ｂ）および図６の（ｂ）は計数機４４における受皿ユニット４３との対向部の断面図である。また、図５および図６では受け皿ユニット４３の記載を省略している。また、図６では計数機４４の筐体の一部を省略している。
【００５１】
図５の（ａ）および図６の（ａ）に示したように、計数機４４は、ソレノイド（電動駆動部）５１、規制部材５２、バネ（付勢部材）５６、係合バー（被係合部）５７、係合フック（第２係合部）５８、検知レバー５９、検知レバー復帰バネ６０、および受皿ユニット検知センサ６１を備えている。なお、上記ロック機構は、受皿ユニット４３のシリンダー錠４５および係止部材４６からなる手動ロック解除部と、計数機４４のソレノイド５１、規制部材５２、バネ５６、検知レバー５９、検知レバー復帰バネ６０、および受皿ユニット検知センサ６１からなる電動ロック解除部とによって構成されている。
【００５２】
規制部材５２は、受皿ユニット４３との対向面に垂直な方向に延伸する延伸部５３と、延伸部５３における受皿ユニット４３側の端部に備えられ、受皿ユニット４３側に向かうほど下方に傾斜した形状を有する傾斜部５４と、傾斜部５４の下端から受皿ユニット４３から遠ざかる方向に延伸する規制部５５とを備えている。なお、規制部５５の下面は、水平方向に略平行になっている。
【００５３】
係合フック（第２係合部）５８は、受皿ユニット４３側の端部を上方に折り曲げた形状を有する板状部材である。なお、受皿ユニット４３における係合フック５８に対応する位置には係合フック５８が係合される係合穴部または結合バー（第２被係合部。図示せず。）が設けられており、係合フック５８を係合穴部または結合バーに係合させることにより、受皿ユニット４３の一部が係合フック５８に引掛けられる。
【００５４】
バネ５６は、ソレノイド５１と規制部材５２との間に配置されており、規制部材５２を受皿ユニット４３側に向かう方向、すなわち第１規制解除位置から第１規制位置に向かう方向に向けて付勢している。
【００５５】
ソレノイド５１は、貸出処理ユニット３１に備えられる制御部の指示に応じて、規制部材５２をバネ５６の付勢力に打ち勝って受皿ユニット４３から遠ざかる方向に引き込む。これにより、規制部材５２は、ソレノイド５１によって引き込まれていない場合（例えばソレノイド５１に通電していない場合等）にはバネ５６の付勢力によって図５に示した位置（第１規制位置）に配置され、ソレノイド５１によって引き込まれているときには図６に示した位置（第１規制解除位置）に配置される。
【００５６】
図７は、計数機４４を受皿ユニット４３側から見た平面図である。検知レバー５９は、水平方向に回転可能に軸支されており、検知レバー復帰バネ６０によって水平方向かつ規制部材５２が配置されている側に付勢されている。また、図７に示したように、検知レバー５９における係止部材４６と当接する面は、規制部材５２側（計数機４４における係止部材４６が挿入される側）に向かうほど下方に傾斜した形状を有している。
【００５７】
これにより、受皿ユニット４３の係止部材４６が計数機４４に挿入されていないときには、図５の（ａ）に示したように、検知レバー５９は、先端が受皿ユニット４３側を向く所定の位置で保持される。一方、受皿ユニット４３の係止部材４６が計数機４４に挿入されている時には、検知レバー５９は、図８の（ａ）に示したように、係止部材４６と当接することによって検知レバー復帰バネ６０の付勢力に反して水平方向（規制部材５２から遠ざかる方向）に回転する。図８は、受皿ユニット４３を計数機４４にロックしたときの状態を説明する説明図であり、（ａ）は計数機４４の斜視図、（ｂ）は計数機４４における受皿ユニット４３との対向部の断面図である。
【００５８】
受皿ユニット検知センサ６１は、係止部材４６が計数機４４に挿入されたか否かを検知するためのものであり、本実施形態では検知レバー５９の位置を検知することによって上記の検知を行うようになっている。また、受皿ユニット検知センサ６１の検知結果は受皿ロック制御部７６に伝達される。なお、受皿ユニット検知センサ６１の構成はこれに限るものではなく、係止部材４６が計数機４４に挿入されているか否かを検知可能な構成であればよい。
【００５９】
（１−３．ロック動作）
本実施形態では、計数機４４に対する受皿ユニット４３のロック方法として、（ｉ）係止部材４６を第２規制解除位置に配置した状態の受皿ユニット４３を、当該受皿ユニット４３を計数機４４に連結するための所定位置（係合部材４７が係合バー５７に係合し、係合フック５８が係合穴部または係合バーに係合する位置）に配置してからシリンダー錠４５の鍵穴部４５ａに鍵を差し込んで回転させることにより係止部材４６を第２規制位置に配置してロックする第１のロック方法、および（ｉｉ）係止部材４６を第２規制位置に配置した状態の受皿ユニット４３を計数機４４に対して上方から押し下げることにより係止部材４６を上記所定位置に配置に挿入してロックする第２のロック方法の２通りの方法を利用可能になっている。
【００６０】
（１−３−１．第１のロック方法）
第１のロック方法では、まず、係止部材４６が第２規制解除位置に配置された状態（係止部材４６が受皿ユニット４３における計数機４４との対向面よりも遊技媒体通路４２側に収容された状態。すなわち係止部材４６が計数機４４側に突出していない状態）の受皿ユニット４３の切欠部４８を計数機４４の係合バー５７に上側から引掛けて係合させるとともに、受皿ユニット４３における計数機４４との対向面に設けられた係合穴部または係合バーに計数機４４の係合フック５８を引掛けて係合させる。これにより、受皿ユニット４３の水平方向（計数機４４から遠ざかる方向）への移動が規制される。なお、第１のロック方法では、受皿ユニット４３の計数機４４への連結操作の開始時点において、規制部材５２は第１規制位置に配置されていてもよく、第１規制解除位置に配置されていてもよい。
【００６１】
その後、受皿ユニット４３のシリンダー錠４５の鍵穴部４５ａに鍵を差し込んで回すことにより、係止部材４６を回転させて係止部材４６を第２規制位置に移動させ、受皿ユニット４３を計数機４４に連結するための上記所定位置（計数機４４の規制部材５２が第１規制位置に配置されたときに規制部材５２の下面（規制部５５）に対向する位置）に配置する。この際、検知レバー５９が係止部材４６と当接して回転することにより、受皿ユニット検知センサ６１によって係止部材４６が上記所定位置に配置されたことが検知され、その検知信号が受皿ロック制御部７６に伝達される。上記の検知信号を受け取った受皿ロック制御部７６は、規制部材５２が第１規制位置に配置されているか第１規制解除位置に配置されているか（あるいはソレノイド５１による規制部材５２の引き込みが行われているか否か）を判断し、第１規制解除位置に配置されている場合には、ソレノイド５１による規制部材５２の引き込みを解除させ、バネ５６の付勢力によって可動部材を第１規制解除位置から第１規制位置に移動させる。
【００６２】
これにより、規制部材５２によって係止部材４６の上方への移動が規制され、切欠部４８から係合バー５７を抜くこと、および係合フック５８を係合穴部または係合バーから抜くことができなくなって受皿ユニット４３が計数機４４にロックされる。
【００６３】
（１−３−２．第２のロック方法）
第２のロック方法では、まず、係止部材４６を第２規制位置に配置した状態（係止部材４６を計数機４４側に突出させた状態）の受皿ユニット４３を計数機４４に対して上方から押し下げる。なお、第１のロック方法の場合と同様、第２のロック方法では、受皿ユニット４３の計数機４４への連結操作の開始時点において、規制部材５２は第１規制位置に配置されていてもよく、第１規制解除位置に配置されていてもよい。
【００６４】
規制部材５２が第１規制位置に配置されている場合、上記のように受皿ユニット４３を計数機４４に対して上方から押し下げると、係止部材４６が規制部材５２における傾斜部５４に当接する。そして、係止部材４６を傾斜部５４に接触させながらさらに押し下げると、係止部材４６が下方へ移動するにつれて傾斜部５４の傾斜により規制部材５２がソレノイド５１側に押し込まれる。また、係止部材４６は検知レバー５９にも当接し、係止部材４６をさらに下方へ移動させると、検知レバー５９における係止部材４６との当接面が傾斜していることにより、検知レバー５９が係止部材４６から遠ざかる方向に移動（回転）する。そして、係止部材４６が規制部材５２の傾斜部５４を乗り越えて係止部材４６が受皿ユニット４３を計数機４４に連結するための上記所定位置に到達し、係止部材４６と傾斜部５４との当接が解除されると、図８に示したように、規制部材５２はバネ５６の付勢力によって第１規制位置に押し戻され。また、係止部材４６が上記所定位置に配置された状態では、切欠部４８が計数機４４の係合バー５７に引掛けられ、受皿ユニット４３における計数機４４との対向面に設けられた係合穴部または係合バーに計数機４４の係合フック５８が引掛けられる。
【００６５】
一方、規制部材５２が第１規制解除位置に配置されている場合、上記のように受皿ユニット４３を計数機４４に対して上方から押し下げると、係止部材４６が検知レバー５９に当接し、係止部材４６をさらに下方へ移動させると、検知レバー５９における係止部材４６との当接面が傾斜していることにより、検知レバー５９が係止部材４６から遠ざかる方向に移動（回転）する。これにより、係止部材４６が受皿ユニット４３を計数機４４に連結するための上記所定位置に配置されるとともに、切欠部４８が計数機４４の係合バー５７に引掛けられ、受皿ユニット４３における計数機４４との対向面に設けられた係合穴部または係合バーに計数機４４の係合フック５８が引掛けられる。
【００６６】
なお、上記のように検知レバー５９が係止部材４６と当接して回転することにより、受皿ユニット検知センサ６１によって係止部材４６が計数機４４に挿入されたことが検知され、その検知信号が受皿ロック制御部７６に伝達される。受皿ロック制御部７６は、上記の検知信号を受け取ると、規制部材５２が第１規制位置に配置されているか第１規制解除位置に配置されているか（あるいはソレノイド５１による規制部材５２の引き込みが行われているか否か）を判断し、第１規制解除位置に配置されている場合には、ソレノイド５１による規制部材５２の引き込みを解除させ、バネ５６の付勢力によって可動部材を第１規制解除位置から第１規制位置に移動させる。
【００６７】
これにより、第１のロック方法の場合と同様、規制部材５２によって係止部材４６の上方への移動が規制され、切欠部４８に挿入された係合バー５７を抜くこと、および係合フック５８を係合穴部または係合バーから抜くことができなくなって受皿ユニット４３が計数機４４にロックされる。
【００６８】
（１−４．ロック解除動作）
本実施形態では、計数機４４に対する受皿ユニット４３のロックを解除する方法として、（ｉ）シリンダー錠４５に鍵を差し込んで手動で回すことにより係止部材４６を第２規制位置から第２規制解除位置に回転させてロックを解除する手動ロック解除方法、および（ｉｉ）ソレノイド５１を電動で動作させることにより規制部材５２を第１規制位置から第１規制解除位置に移動させてロックを解除する自動ロック解除方法の２通りの方法を利用可能になっている。
【００６９】
（１−４−１．手動ロック解除方法）
手動ロック解除方法では、図８に示したロック状態（規制部材５２が第１規制位置に配置され、係止部材４６が第２規制位置かつ受皿ユニット４３を計数機４４に連結するための上記所定位置に配置された状態）において、受皿ユニット４３のシリンダー錠４５に鍵を差し込んで回す。これにより、係止部材４６が回転して第２規制解除位置に移動することで計数機４４から抜き出され、受皿ユニット４３における計数機４４との対向面よりも遊技媒体通路４２側の位置（第２規制解除位置）に収容される。その結果、受皿ユニット４３の上方への移動規制（ロック）が解除される。したがって、切欠部４８から係合バー５７を抜き、係合フック５８を係合穴部または係合バーから抜いて受皿ユニット４３を計数機４４から取り外すことが可能になる。
【００７０】
（１−４−２．自動ロック解除方法）
自動ロック解除方法では、図８に示したロック状態において、遊技場の従業員等がリモコン３６の一斉解除ボタン３７または個別解除ボタン３８を操作すると、操作されたボタンに応じたロック解除信号がリモコン受光部３５によって受信され、受皿ロック制御部７６に伝達される。
【００７１】
受皿ロック制御部７６は、ロック解除信号をリモコン受光部３５から受け取ると、ソレノイド５１を動作させ、規制部材５２を当該ソレノイド５１側（受皿ユニット４３から遠ざかる方向）に引き込ませる。これにより、図８に示すように、規制部材５２が第１規制位置から第１規制解除位置に移動し、係止部材４６の上方が解放されて係止部材４６の上方への移動規制（ロック）が解除される。したがって、切欠部４８から係合バー５７を抜き、係合フック５８を係合穴部または係合バーから抜いて受皿ユニット４３を計数機４４から取り外すことが可能になる。
【００７２】
なお、受皿ユニット４３を計数機４４から取り外した後、ソレノイド５１による規制部材５２の引き込みを継続して規制部材５２を第１規制解除位置に保持するようにしてもよく、係止部材４６が計数機４４から抜き出されたこと（係止部材４６が上記所定位置から抜き出されたこと）を受皿ユニット検知センサ６１が検知したときに受皿ロック制御部７６がソレノイド５１による規制部材５２の引き込みを停止させて規制部材５２を第１規制位置に移動させるようにしてもよい。
【００７３】
〔まとめ〕
以上のように、本実施形態にかかる各台計数機４０は、外部から操作可能な位置に配置された鍵穴部４５ａに鍵を挿入することにより手動にて受皿ユニット４３と計数機４４とのロック解除動作を行うための手動ロック解除部（シリンダ錠４５、係止部材４６）と、所定の動作指示に応じて電動により受皿ユニット４３と計数機４４とのロック解除動作を行う電動ロック解除部（ソレノイド５１、規制部材５２、バネ５６）とを備えている。
【００７４】
これにより、電動ロック解除部への通電が確保されている場合には上記の所定の動作指示を行うだけで受皿ユニットのロック解除を容易に行うことができる。また、外部から操作可能な位置に配置された鍵穴部に鍵を挿入することにより手動にてロック解除動作を行うこともできるので、電動ロック解除部への通電が遮断されている場合であっても、従来のレバー解除方式のように遊技機の取り外し作業や台間機の一部の取り外し作業などを行う必要がなく、受皿ユニットのロック解除を容易に行うことができる。
【００７５】
なお、本実施形態では、ソレノイド５１および規制部材５２を有する電動ロック解除部電動が計数機４４に配置され、シリンダー錠４５および係止部材４６を有する手動ロック解除部が受皿ユニット４３に配置されている構成について説明したが、これに限るものではない。例えば、電動ロック解除部および手動ロック解除部の両方を計数機４４あるいは受皿ユニット４３のいずれか一方に設けてもよく、手動ロック解除部を計数機４４に設け、電動ロック解除部を受皿ユニット４３に設けてもよい。
【００７６】
また、手動ロック解除部の構成は上述した構成に限るものではなく、手動により受皿ユニット４３と計数機４４とのロックおよびロック解除を実行可能な構成であればよい。同様に、電動ロック解除部の構成についても上述した構成に限るものではなく、ソレノイド、モータ、アクチュエータ等の電動手段を利用して受皿ユニット４３と計数機４４とのロックおよびロック解除を実行可能な構成であればよい。
【００７７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７８】
本発明は、パチンコ機等の遊技機の各台計数機に適用できる。
【符号の説明】
【００７９】
１０  遊技機ユニット
２０  遊技機
３０  台間機
３５  リモコン受光部
３６  リモコン
４０  台計数機
４１  受皿
４２  遊技媒体通路
４３  受皿ユニット
４４  計数機
４５  シリンダー錠（手動ロック解除部）
４５ａ  鍵穴部（手動ロック解除部）
４６  係止部材（手動ロック解除部）
４７  係合部材
４８  切欠部
５１  ソレノイド（電動ロック解除部）
５２  規制部材（電動ロック解除部）
５３  延伸部
５４  傾斜部
５５  規制部
５６  バネ（電動ロック解除部）
５７  係合バー
５８  係合フック
５９  検知レバー（検知部）
６０  検知レバー復帰バネ（検知部）
６１  受皿ユニット検知センサ（検知部）
７０  制御部
７６  受皿ロック制御部（制御部）
【図１】
2014147513.tif 000003
【図２】
2014147513.tif 000004
【図３】
2014147513.tif 000005
【図４】
2014147513.tif 000006
【図５】
2014147513.tif 000007
【図６】
2014147513.tif 000008
【図７】
2014147513.tif 000009
【図８】
2014147513.tif 000010
【図９】
2014147513.tif 000011